(57)【特許請求の範囲】
【請求項１】
表示ユニットと光源ユニットを一面が開口する箱状の本体に取り付ける取付構造を備える照明装置において、
上記表示ユニットは、
第一保持部と、
上記第一保持部から第一方向に所定距離離れた位置に形成され、上記第一方向に対して略垂直な方向を軸とする第二保持部と
を有し、
上記本体は、
上記第一保持部と上記第二保持部との間に係合する係合部と、
上記表示ユニットを上記第一方向へ向けて移動させて上記本体に近づけた場合に、上記第二保持部と当接し、上記係合部が上記第一保持部と上記第二保持部との間に係合できるよう上記表示ユニットを、上記第二保持部の軸に対して略垂直で上記第一方向と異なる第二方向に案内する案内部と
を有し、
上記係合部は、上記案内部に対して上記第二方向と略反対の第三方向に位置し、上記第二保持部が上記案内部を乗り越えたのち上記表示ユニットが上記第三方向に移動することにより、上記第一保持部と上記第二保持部との間に係合し、
上記光源ユニットは、上記係合部が上記第一保持部と上記第二保持部との間に係合したのち、上記表示ユニットが上記第二方向に移動しないように固定するとともに、前記表示ユニットに光を出射することを特徴とする照明装置。
【請求項２】
前記係合部と前記案内部が前記本体の開口面側かつ内側方向に突出するように備えられることを特徴とする請求項１に記載の照明装置。
【請求項３】
前記第二保持部は表示ユニットの側面方向に突出するように備えられることを特徴とする請求項１または請求項２に記載の照明装置。
【請求項４】
前記本体を被設置面に設置したとき、前記第三方向が鉛直方向となることを特徴とする請求項１から請求項３のいずれかに記載の照明装置。
【発明の詳細な説明】
【技術分野】
【０００１】
この発明は、誘導灯など天井面や壁面に取り付けて使用する照明装置に関する。
【背景技術】
【０００２】
誘導灯など、天井面や壁面に取り付けて使用する照明装置は、内部の配線や点検、部品交換などのため、本体を天井面や壁面に取り付けた状態で、表示板などを付け外しする必要がある。
【先行技術文献】
【特許文献】
【０００３】
【特許文献１】特開２０００−１４９６２６号公報
【特許文献２】特開２００２−２３６７１号公報
【特許文献３】特開２００７−１８８７３号公報
【特許文献４】特開２０００−１３３０３２号公報
【特許文献５】実願平０５−９４１６号（実開平０６−６８２２６号）公報
【発明の概要】
【発明が解決しようとする課題】
【０００４】
本体を天井面に取り付けた状態で表示板などを付け外しする場合、天井面があるため、本体の上側には作業スペースがない。また、設置場所が高い場合は、高所作業になる。
この発明は、例えば上記のような課題を解決するためになされたものであり、照明装置に表示板などを容易に取り付けられるようにすることを目的とする。
【課題を解決するための手段】
【０００５】
この発明にかかる照明装置は、表示ユニットと光源ユニットを一面が開口する箱状の本体に取り付ける取付構造を備える照明装置において、上記表示ユニットは、第一保持部と、上記第一保持部から第一方向に所定距離離れた位置に形成され、上記第一方向に対して略垂直な方向を軸とする第二保持部とを有し、上記本体は、上記第一保持部と上記第二保持部との間に係合する係合部と、上記表示ユニットを上記第一方向へ向けて移動させて上記本体に近づけた場合に、上記第二保持部と当接し、上記係合部が上記第一保持部と上記第二保持部との間に係合できるよう上記表示ユニットを、上記第二保持部の軸に対して略垂直で上記第一方向と異なる第二方向に案内する案内部とを有し、上記係合部は、上記案内部に対して上記第二方向と略反対の第三方向に位置し、上記第二保持部が上記案内部を乗り越えたのち上記表示ユニットが上記第三方向に移動することにより、上記第一保持部と上記第二保持部との間に係合し、上記光源ユニットは、上記係合部が上記第一保持部と上記第二保持部との間に係合したのち、上記表示ユニットが上記第二方向に移動しないように固定するとともに、前記表示ユニットに光を出射することを特徴とする。
【発明の効果】
【０００６】
この発明にかかる照明装置によれば、案内部が第二保持部と当接して、表示ユニットを案内し、係合部が第一保持部と第二保持部との間に係合できるようにするので、表示ユニットを本体に容易に取り付けることができるとともに光源ユニットを本体に取り付けることにより表示ユニットを固定することができるという効果を奏する。
【図面の簡単な説明】
【０００７】
【図１】実施の形態１における誘導灯１００の構成を示す分解斜視図。
【図２】実施の形態１における表示ユニット１２０の一部を拡大した拡大三面図及び拡大斜視図。
【図３】実施の形態１における本体１１０の一部を拡大した拡大三面図及び拡大斜視図。
【図４】実施の形態１における第二係合部１１１と第一係合部１２１とが係合する様子を示す模式図。
【図５】実施の形態１におけるランプホルダユニット１３０を、表示ユニット１２０が取り付けられた本体１１０に取り付ける様子を示す模式図。
【図６】実施の形態１における取付構造の変形例を示す図。
【図７】実施の形態１における取付構造の別の変形例を示す図。
【図８】実施の形態１における取付構造の更に別の変形例を示す図。
【図９】実施の形態２における誘導灯１００の構成を示す分解斜視図。
【図１０】実施の形態２における本体１１０に表示ユニット１２０を取り付けるときの様子を示す模式図。
【図１１】実施の形態３における誘導灯１００の外観を示す全体斜視図。
【図１２】実施の形態３における誘導灯１００の内部構造を示す分解斜視図。
【図１３】実施の形態３における本体１１０、表示ユニット１２０、ランプホルダユニット１３０の形状の詳細を示す図。
【図１４】実施の形態４における誘導灯１００の内部構造を示す分解斜視図。
【図１５】実施の形態４における補強金具１８０の形状を示す側面図及び斜視図。
【図１６】実施の形態４における本体枠１１２に、補強金具１８０を取り付けた場合の位置関係を示す斜視図。
【図１７】実施の形態４における本体枠１１２に補強金具１８０及び取付金具１９０を取りつけた状態を示す一部拡大断面斜視図。
【図１８】実施の形態４における本体枠１１２に表示ユニット１２０及びランプホルダユニット１３０を取り付ける様子を示す側面視断面図。
【図１９】実施の形態４における本体枠１１２からランプホルダユニット１３０及び表示ユニット１２０を取り外す様子を示す側面視拡大断面図。
【図２０】実施の形態４における第二案内部１１９の形状の変形例を示す図。
【発明を実施するための形態】
【０００８】
実施の形態１．
実施の形態１について、図１〜図８を用いて説明する。
【０００９】
図１は、この実施の形態における誘導灯１００の構成を示す分解斜視図である。
【００１０】
誘導灯１００（照明装置）は、本体１１０、表示ユニット１２０、ランプホルダユニット１３０を備える。
本体１１０は、本体枠１１２、端子台１４０、バッテリー１５０、点灯装置１６０を有する。
本体枠１１２は、誘導灯１００の筐体であり、直方体の前面（Ｘ方向から見て手前側の面）を開放した形状である。背面板１１４は、本体枠１１２の後面（Ｘ方向から見て奥側）の部分である。
端子台１４０は、本体１１０の内部に位置し、本体枠１１２の左側面（Ｙ方向から見て奥側の面）または背面板１１４に固定されている。端子台１４０は、商用電源などの配線をする。
バッテリー１５０は、本体１１０の内部に位置し、本体枠１１２の左側面または背面板１１４に固定されている。バッテリー１５０は、通常時に商用電源などから得た電力で充電しておき、停電時に誘導灯を点灯するための電源となる。
点灯装置１６０は、本体１１０の内部に位置し、本体枠１１２の右側面（Ｙ方向から見て手前側の面）または下面（Ｚ方向から見て奥側の面）または背面板１１４に固定されている。点灯装置１６０は、商用電源やバッテリー１５０から得た電力から光源に印加する電圧を生成し、光源を点灯する。また、点灯装置１６０は、商用電源の停電を検出してバッテリー１５０から得た電力を光源に供給して非常点灯するなど、誘導灯１００を制御する。
【００１１】
本体枠１１２は、上面（Ｚ方向から見て手前側の面）及び背面板１１４に、電源線挿入穴１１３を有する。電源線挿入穴１１３は、商用電源からの配線を通すための穴である。なお、電源線挿入穴１１３は、上面または背面のいずれか一方だけにあってもよいし、側面（Ｙ方向から見て手前側の面あるいは奥側の面）にあってもよい。
また、電源線挿入穴１１３をノックアウト形状としてもよい。すなわち、電源線挿入穴１１３を開口していない状態としておき、作業者が必要に応じて電源線挿入穴１１３を開口させられるよう、本体枠１１２に、電源線挿入穴１１３の外周の形状の薄肉部を設けておく。誘導灯１００を天井面に取り付ける場合には、作業者が本体枠１１２上面の電源線挿入穴１１３を開口して使用する。また、誘導灯１００を壁面に取り付ける場合には、作業者が本体枠１１２側面または背面板１１４の電源線挿入穴１１３を開口して使用する。使用しない電源線挿入穴１１３は、開口していないままなので、使用しない電源線挿入穴１１３から埃などが進入するのを防ぐことができる。
【００１２】
本体枠１１２の開放された前面には、表示ユニット１２０を取り付ける。これにより、誘導灯１００は、全体としてほぼ直方体の形状となる。
本体枠１１２（第二部材）は、４つの第二係合部１１１を有する。
第二係合部１１１は、本体枠１１２の開放された前面の内側に配置されていて、表示ユニット１２０の第一係合部１２１と係合することにより、本体枠１１２に表示ユニット１２０を取り付けて、固定する。
【００１３】
表示ユニット１２０は、表示ユニット枠１２２、表示板１２３、導光板１２４を有する。
導光板１２４は、表示ユニット枠１２２の内側に配置されている。導光板１２４は、上端からランプホルダユニット１３０に内蔵された光源が発した光を入射し、入射した光により表示板１２３を照らすことにより、表示板１２３を発光させる。
表示板１２３は、矩形状であり、表示ユニット枠１２２の内側、導光板１２４の外側に配置されている。表示板１２３には、消防法に定められた非常口など避難誘導を示す図柄が印刷されていて、ランプホルダユニット１３０に内蔵された光源が発した光により、発光する。
なお、光源は、必ずしもランプホルダユニット１３０が備えている必要はない。例えば、表示板１２３の直下に光源を配置してもよいし、導光板１２４に代えてＥＬ光源などの面光源を用いてもよい。
また、他の図柄が印刷された表示板１２３を用いることにより、誘導灯１００を誘導灯としてではなく、照明装置あるいは表示装置として使用することも可能である。
誘導灯１００を照明装置あるいは表示装置として使用し、停電時に点灯する必要がない場合には、バッテリー１５０はなくてもよく、商用電源から電力が供給されているときのみ光源を点灯することとしてもよい。
【００１４】
表示ユニット枠１２２（第一部材）は、表示板１２３がある面（表面）の反対側の面（裏面）に、４つの第一係合部１２１を有する。第一係合部１２１は、本体枠１１２の第二係合部１１１と対応する位置にあり、第二係合部１１１と係合することにより、表示ユニット１２０を本体１１０に取り付けて、固定する。
【００１５】
ランプホルダユニット１３０は、図示していない光源を有する。ランプホルダユニット１３０を、表示ユニット１２０の上部に取り付けることにより、光源が発した光が導光板１２４に入射し、表示板１２３を発光させることができる。
また、ランプホルダユニット１３０は、２つの第三係合部１３１を有する。第三係合部１３１は、本体枠１１２と係合することにより、ランプホルダユニット１３０を本体１１０に取り付けて、固定する。
【００１６】
図２は、この実施の形態における表示ユニット１２０の一部を拡大した拡大三面図及び拡大斜視図である。
この図は、正面（Ｘ方向）から見て右側（Ｙ方向から見て手前側）に位置する第一係合部１２１の周辺を示している。左側（Ｙ方向から見て奥側）に位置する第一係合部１２１は、これと左右対称の形状である。
【００１７】
第一係合部１２１は、第二保持部２２０、保持支持部２３０を有する。
第二保持部２２０（円状突起）は、横向きの円柱状である。第二保持部２２０は、表示ユニット枠１２２の裏面（第一保持部２１０）に対して水平方向（第一方向）に位置し、第一保持部２１０との間に、第二係合部１１１を挟み込む。
保持支持部２３０（突出片）は、板状であり、第一保持部２１０と第二保持部２２０との間の間隔を一定に保つための部材である。保持支持部２３０の側面２３１は、フィレット処理されており、角が丸くなっている。
【００１８】
図３は、この実施の形態における本体１１０の一部を拡大した拡大三面図及び拡大斜視図である。
この図は、正面（Ｘ方向）から見て右側（Ｙ方向から見て手前側）に位置する第二係合部１１１の周辺を示している。左側（Ｙ方向から見て奥側）に位置する第二係合部１１１は、これと左右対称の形状である。
【００１９】
第二係合部１１１（ガイド壁）は、本体枠１１２から本体枠１１２の内側に突出した柱状である。第二係合部１１１は、係止部３１０（係合部）、案内部３２０、支持部３３０を有する。
案内部３２０（規制片）は、ＸＺ平面で切った断面が略直角三角形の柱状であり、Ｘ方向から見て手前側に案内当接面３２１（直角三角形の斜辺部分）、Ｘ方向から見て奥側に案内裏面３２２（直角三角形の一方の底辺部分）がある。なお、直角三角形のＺ方向から見て手前側の頂点にあたる部分を、案内頂部３２３と呼ぶ。
支持部３３０は、ＸＺ平面で切った断面が略長方形の柱状であり、案内部３２０の下側（Ｚ方向から見て奥側）にある。支持部３３０の前面（Ｘ方向から見て手前側）は案内部３２０と揃った位置にあるが、後面（Ｘ方向から見て奥側）は案内部３２０の案内裏面３２２よりも奥にあり、支持部３３０の上面のうち案内部３２０の奥にある部分が、支持面３３１を形成している。
係止部３１０（係合部）は、案内部３２０の下側（第三方向）、支持部３３０との間にあり、第一係合部１２１と係合した際に、第一保持部２１０と第二保持部２２０との間に挟まる部分である。
【００２０】
図４は、この実施の形態における第二係合部１１１と第一係合部１２１とが係合する様子を示す模式断面図である。
この図は、図３に示したＰ−Ｐ断面を示し、右側（Ｙ方向から見て手前側）に位置する第二係合部１１１及び第一係合部１２１が係合する様子をＹ方向から見たところを示している。
【００２１】
表示ユニット１２０を本体１１０に取り付けるに際し、作業者は、表示ユニット１２０を本体１１０に対してＸ方向から近づける。
表示ユニット１２０が本体１１０に対して、所定の距離まで近づくと、第二保持部２２０の保持当接面２２１と案内部３２０の案内当接面３２１とが当接する。
表示ユニット１２０は、作業者がＸ方向から押す力Ｆ１と、保持当接面２２１が当接した案内当接面３２１から受ける反発力Ｆ２とを合成した力を受けるので、案内当接面３２１に沿って、Ａ方向（第二方向）に移動する。
第二保持部２２０が案内頂部３２３に達すると、反発力Ｆ２がなくなるので、表示ユニット１２０は、作業者が押す力Ｆ１によりＢ方向に移動する。
表示ユニット枠１２２が本体枠１１２に当接して、表示ユニット１２０がそれ以上Ｂ方向に移動できなくなったところで、作業者が表示ユニット１２０を保持する力を緩めると、表示ユニット１２０は、重力の影響を受けてＣ方向（第三方向）に移動する。
なお、案内裏面３２２に小突起を形成して、第二保持部２２０との間に摩擦力を生じさせることにより、表示ユニット１２０が急激に落下するのを防ぐこととしてもよい。
第二保持部２２０の保持当接面２２１が支持部３３０の支持面３３１に当接すると、表示ユニット１２０はそれ以上Ｃ方向に移動できなくなり、係止部３１０が第一保持部２１０と第二保持部２２０との間に係合する。
これにより、第一係合部１２１と表示ユニット枠１２２とが係合して固定され、表示ユニット１２０が本体１１０に取り付けられる。
【００２２】
図５は、この実施の形態におけるランプホルダユニット１３０を、表示ユニット１２０が取り付けられた本体１１０に取り付ける様子を示す模式図である。
この図は、誘導灯１００をＹ方向から見ている。なお、内部の様子が見えるよう、手前側の本体枠１１２は省略している。また、端子台１４０などの部品や配線なども省略している。
【００２３】
表示ユニット１２０を本体１１０に取り付けた状態において、第一係合部１２１が第二係合部１１１と係合し、表示ユニット枠１２２が本体枠１１２と当接しているので、Ｄ方向以外の方向には、表示ユニット１２０を動かすことができず、表示ユニット１２０は本体１１０に固定されている。
【００２４】
この実施の形態では、更に、表示ユニット１２０を取り付けた本体１１０に、ランプホルダユニット１３０を取り付けて、表示ユニット１２０がＤ方向に動かないように固定する。
なお、ランプホルダユニット１３０を本体１１０または表示ユニット１２０に固定する手段については、どのような手段を用いてもよいので、ここでは説明を省略する。
【００２５】
表示ユニット１２０を取り付けた本体１１０にランプホルダユニット１３０を取り付けると、第三係合部１３１（固定部）が本体枠１１２の内側に当接するので、表示ユニット１２０をＤ方向に動かすことができなくなる。
これにより、表示ユニット１２０が外れるのを防ぐことができる。
【００２６】
なお、本体１１０に表示ユニット１２０を取り付ける前に、表示ユニット１２０にランプホルダユニット１３０を取り付けると、第三係合部１３１が本体枠１１２に当たり、本体１１０を表示ユニット１２０に取り付けることができない。
【００２７】
次に、この実施の形態における誘導灯１００を天井面に取り付ける誘導灯取付作業の流れについて説明する。
【００２８】
まず、本体取付工程Ｓ１１において、本体１１０だけを天井面に直付けして取り付ける。
天井面には、あらかじめ電源線挿入穴１１３に対応する位置に穴を開けてあり、その穴から電源線を引き出せるようにしてある。
次に、配線工程Ｓ１２において、電源線挿入穴１１３から電源線を引き出して端子台１４０に接続して配線する。
それから、表示ユニット取付工程Ｓ１３において、表示ユニット１２０を本体１１０に取り付ける。
最後に、表示ユニット１２０を取り付けた本体１１０にランプホルダユニット１３０を取り付ける。
【００２９】
配線工程Ｓ１２で本体枠１１２の内部を触る必要があるので、本体取付工程Ｓ１１で天井面に取り付ける本体１１０にあらかじめ表示ユニット１２０を取り付けておくことはできず、本体１１０を天井面に取り付けた後で、表示ユニット１２０を本体１１０に取り付けることになる。
【００３０】
なお、この例では、表示ユニット１２０がＤ方向に動くのを防ぐ固定部としての役割をランプホルダユニット１３０（の第三係合部１３１）に持たせているので、上述したように、表示ユニット取付工程Ｓ１３のあとにランプホルダユニット取付工程Ｓ１４を実行する必要がある。しかし、表示ユニット１２０がＤ方向に動くのを防ぐ固定部としての役割をランプホルダユニット１３０以外の部品や他の機構によって実現してもよいし、固定部がなくてもよい。その場合には、表示ユニット１２０（または本体１１０）にランプホルダユニット１３０を取り付けた後に、本体１１０に表示ユニット１２０を取り付けるという作業手順でもよい。
【００３１】
本体１１０は、本体取付工程Ｓ１１において、天井面５０１に取り付けられているので、本体１１０の上側には作業スペースがない。
したがって、表示ユニット取付工程Ｓ１３は、見上げ角度での作業になる。
誘導灯１００を壁面に取り付ける場合も、取付け位置によっては、本体１１０の上側に作業スペースを確保できない場合がある。
【００３２】
この実施の形態における誘導灯１００（照明装置）が備える取付構造によれば、第一部材（表示ユニット枠１２２／表示ユニット１２０）の位置を、第二部材（本体枠１１２／本体１１０）の位置に正確に合わせなくても、おおよその位置を合わせさえすれば、案内部３２０が第二保持部２２０と当接して、係合部（係止部３１０）が、第一保持部２１０と第二保持部２２０との間に係合できるよう、第一部材（表示ユニット枠１２２／表示ユニット１２０）を案内するので、見上げ角度での作業や片手での作業であっても、容易に第一部材（表示ユニット枠１２２／表示ユニット１２０）を第二部材（本体枠１１２／本体１１０）に取り付けることができる。
したがって、表示ユニット１２０を取り付ける作業の作業性が向上する。
【００３３】
また、作業者は、第一部材（表示ユニット枠１２２／表示ユニット１２０）を第二部材（本体枠１１２／本体１１０）に対して所定方向（Ｘ方向／水平方向）から近づけるだけで、第一部材（表示ユニット枠１２２／表示ユニット１２０）が、所定方向（Ｘ方向／水平方向）と異なる方向（Ａ方向／上方向）に案内されるので、第一部材（表示ユニット枠１２２／表示ユニット１２０）を上下に動かす動作をする必要がなく、容易に第一部材（表示ユニット枠１２２／表示ユニット１２０）を第二部材（本体枠１１２／本体１１０）に取り付けることができる。
【００３４】
第二保持部２２０と当接する案内部３２０の当接面（案内当接面３２１）は、上にいくほど第一部材（表示ユニット枠１２２／表示ユニット１２０）から遠ざかる形状なので、第一部材（表示ユニット枠１２２／表示ユニット１２０）に加えられる水平方向（Ｘ方向）の力が、上方向（Ａ方向）の力に変換され、第一部材（表示ユニット枠１２２／表示ユニット１２０）が上方向（Ａ方向）に案内される。
【００３５】
第二保持部２２０が案内部３２０の案内頂部３２３を乗り越えたのちは、自重により表示ユニット１２０が下方向に移動する。したがって、作業者は、第一部材（表示ユニット枠１２２／表示ユニット１２０）を下方向に動かす力を加える必要はなく、容易に第一部材（表示ユニット枠１２２／表示ユニット１２０）を第二部材（本体枠１１２／本体１１０）に取り付けることができる。
【００３６】
このとき、第二保持部２２０と案内裏面３２２とが接する可能性があるが、第二保持部２２０が円筒状なので、案内裏面３２２と接する面が少なく、スライド時の摩擦が少ない。したがって、第一部材（表示ユニット枠１２２／表示ユニット１２０）を第二部材（本体枠１１２／本体１１０）にスムーズに取り付けることができる。
【００３７】
また、第一保持部２１０と第二保持部２２０との間に係合部（係止部３１０）が係合したのちは、支持部３３０が第二保持部２２０と当接するので、第一部材（表示ユニット枠１２２／表示ユニット１２０）がそれよりも下に移動することを防ぐことができる。
【００３８】
更に、第一保持部２１０と第二保持部２２０との間に係合部（係止部３１０）が係合したのちに、固定部（ランプホルダユニット１３０）を取り付けるので、第一部材（表示ユニット枠１２２／表示ユニット１２０）が上方向に移動することも防ぐことができ、第一部材（表示ユニット枠１２２／表示ユニット１２０）が第二部材（本体枠１１２／本体１１０）に固定される。
【００３９】
このようなスライド構造によって本体１１０に表示ユニット１２０を取り付けるので、本体１１０や表示ユニット１２０を弾性変形させる必要がなく、付け外しが容易に行える。
しかも、スライド構造でありながら、表示ユニット１２０を上下方向にスライドさせる力を加える必要がないので、取り付け作業が容易である。
【００４０】
なお、この例において、第二係合部１１１及び第一係合部１２１はそれぞれ４つずつあるが、第二係合部１１１及び第一係合部１２１の数は、もっと多くてもよいし、少なくてもよい。
ただし、表示ユニット１２０が左右方向にずれるのを防ぐため、第二係合部１１１及び第一係合部１２１は、少なくとも左右に１つずつあることが好ましい。
【００４１】
図６は、この実施の形態における取付構造の変形例を示す図である。
この図は、表示ユニット１２０をＸ方向と逆方向から見た投影図ａ（左右対称のため右半分を省略）、表示ユニット１２０のうち第一係合部１２１の部分を拡大した拡大斜視図ｂ、本体１１０をＸ方向から見た投影図ｃ（左右対称のため左半分を省略）、本体１１０のうち第二係合部１１１の部分を拡大斜視図ｄ、及び、表示ユニット１２０の第一係合部１２１と本体１１０の第二係合部１１１とが係合した様子をＹ方向から見たＰ−Ｐ断面図ｅである。
【００４２】
このように、第二係合部１１１及び第一係合部１２１がそれぞれ複数ある場合、複数の第二係合部１１１及び複数の第一係合部１２１は、対応する第二係合部１１１と第一係合部１２１とが係合できる形状であれば、互いに同じ形状（またはその鏡像）である必要はない。
【００４３】
第一係合部１２１ａは、第二保持部２２０が保持支持部２３０の上端側（Ｚ方向から見て手前側）に位置する点、第二保持部２２０の形状が四角柱と円柱とを組み合わせた形状である点が異なる。
第一係合部１２１ｂは、第二保持部２２０が保持支持部２３０の上端側でも下端側でもなく、中間に位置する点、第二保持部２２０の形状が四角柱の一辺をフィレットして丸みを持たせた形状である点が異なる。
【００４４】
このように、保持支持部２３０は、第一係合部１２１と第二係合部１１１とが係合する際に邪魔にならない位置であれば、第二保持部２２０との位置関係が異なっていてもよい。
また、第二保持部２２０の形状は円柱に限らず、他の形状でもよい。
【００４５】
第二係合部１１１ａは、支持部３３０がない点が異なる。
この例では、第二係合部１１１ｂに支持部３３０があり、表示ユニット１２０が所定の位置より下に移動するのを防いでいるので、第二係合部１１１ａには支持部３３０がなくてもよい。
【００４６】
第二係合部１１１ｂは、傾斜した案内当接面３２１がなく、その代わり、表示ユニット１２０を案内する機能を持たない係止部３１０が長い点が異なる。
第二係合部１１１ａに案内部３２０があり、表示ユニット１２０を上方向に案内するので、第二係合部１１１ｂには案内部３２０がなくてもよい。
【００４７】
図７は、この実施の形態における取付構造の別の変形例を示す図である。
この図は、表示ユニット１２０をＸ方向と逆方向から見た投影図ａ（左右対称のため右半分を省略）、表示ユニット１２０のうち第一係合部１２１の部分を拡大した拡大斜視図ｂ、本体１１０をＸ方向から見た投影図ｃ（左右対称のため左半分を省略）、本体１１０のうち第二係合部１１１の部分を拡大斜視図ｄ、及び、表示ユニット１２０の第一係合部１２１と本体１１０の第二係合部１１１とが係合した様子をＹ方向から見たＰ−Ｐ断面図ｅである。
【００４８】
第一係合部１２１ｃは、第二保持部２２０が、四半円柱と四角柱とを組み合わせた形状であり、上下方向に長い。また、保持支持部２３０が第二保持部２２０の横だけでなく、上にもある点が異なる。
第一係合部１２１ｄは、保持支持部２３０が第二保持部２２０の片側だけでなく、両側にあり、左右から第二保持部２２０を支持している点が異なる。
【００４９】
このように、保持支持部２３０が一方の側面からだけでなく、側面と上面あるいは両側面から第二保持部２２０を支持することにより、第一係合部１２１の変形を防ぐ。これにより、第二係合部１１１との係合が確実なものとなる。
また、第二保持部２２０が上下方向に長いことにより、係止部３１０と当接する保持当接面２２１が広くなり、更に、応力が分散できる。
【００５０】
第二係合部１１１ｃは、案内部３２０の案内当接面３２１が上下方向に長い点、案内部３２０の案内頂部３２３が平らで、支持部３３０を形成している点が異なる。
第二係合部１１１ｃは、案内当接面３２１が上下方向に長いことにより、本体１１０に表示ユニット１２０を取り付ける際、表示ユニット１２０の位置が本体１１０の位置から大きくずれていても、案内部３２０の働きにより表示ユニット１２０が案内され、正しく取り付けることができる。
また、第二係合部１１１ｃは、第一係合部１２１ｃのように、第二保持部２２０の上側に保持支持部２３０を有する第一係合部１２１と係合することにより、案内部３２０の案内頂部３２３に形成された支持部３３０が、保持支持部２３０と当接し、表示ユニット１２０が所定の位置より下に移動することを防ぐ。
【００５１】
第二係合部１１１ｄは、本体枠１１２の側面からではなく、底面（Ｚ方向から見て奥側の面）の内側から突出している点が異なる。
第二係合部１１１ｄは、本体枠１１２の底面内側から突出していることにより、第一係合部１２１ｄのように左右両側から第二保持部２２０を支持する保持支持部２３０を有する第一係合部１２１と係合させることができる。
また、第二係合部１１１ｄ周囲の本体枠１１２の内側が、第二係合部１１１ｄの保持支持部２３０や第二保持部２２０と当接し、支持部３３０としての働きをする。
【００５２】
このように、支持部３３０は、表示ユニット枠１２２の第二保持部２２０以外の部位と当接することにより、表示ユニット１２０が所定の位置より下に移動することを防ぐ構造であってもよい。
また、本体枠１１２の第二係合部１１１以外の部位が、支持部３３０としての役割を果たす構造であってもよい。
【００５３】
図８は、この実施の形態における取付構造の更に別の変形例を示す図である。
この図は、表示ユニット１２０をＸ方向と逆方向から見た投影図ａ（左右対称のため右半分を省略）、表示ユニット１２０のうち第一係合部１２１の部分を拡大した拡大斜視図ｂ、本体１１０をＸ方向から見た投影図ｃ（左右対称のため左半分を省略）、本体１１０のうち第二係合部１１１の部分を拡大斜視図ｄ、及び、表示ユニット１２０の第一係合部１２１と本体１１０の第二係合部１１１とが係合した様子をＹ方向から見たＰ−Ｐ断面図ｅ（係合の様子が見えるよう手前側の本体枠１１２を省略）である。
【００５４】
第一係合部１２１ｅは、第二保持部２２０が四半円と四角柱とを組み合わせた形状であり、上下方向に長い。
第一係合部１２１ｆは、表示ユニット枠１２２のほぼ左右中央に位置し、第二保持部２２０が下向きの円柱状であり、保持支持部２３０が第二保持部２２０の上底面側にある。
【００５５】
このように、第一係合部１２１の位置は、表示ユニット枠１２２の側辺付近でなくてもよい。
【００５６】
第二係合部１１１ｅは、案内部３２０の案内当接面３２１が平面でなく、丸みを帯びている点が異なる。
このように、案内当接面３２１は、平面である必要はない。
案内当接面３２１の上下方向の長さを長くすると、表示ユニット１２０を本体１１０に取り付ける際に、表示ユニット１２０の位置のずれが大きくても、案内部３２０が働く点で有利だが、案内当接面３２１の垂直面に対する角度が小さくなるので、水平方向の力を上方向の力に変換する効率が悪くなる。そこで、案内当接面３２１を曲面にして、表示ユニット１２０の位置のずれが小さい場合には、案内当接面３２１の垂直面に対する角度が大きく、水平方向の力を上方向の力に変換する効率をよくすることができる。
【００５７】
第二係合部１１１ｆは、本体枠１１２の底面内側のほぼ左右中央に位置し、直方体の中央に切り欠きを設けて馬蹄状にした形状である。切り欠きの部分に、第一係合部１２１ｆの第二保持部２２０が係合する。また、第二係合部１１１ｆの上面は平らであり、第一係合部１２１ｆの保持支持部２３０と当接して、支持部３３０として働く。
なお、この例における第二係合部１１１ｆには案内部３２０がないが、案内部３２０があってもよい。
【００５８】
以上説明したように、この実施の形態における取付構造は、第二係合部１１１及び第一係合部１２１を変形することなく、表示ユニット１２０を本体１１０に取り付けることができるので、第二係合部１１１や第一係合部１２１が破損しない。
また、第二係合部１１１及び第一係合部１２１の数をそれぞれ４つ以上とすれば、安定した取り付けができる。また、表示ユニット枠１２２の反りなどの歪みを防止することができる。
【００５９】
実施の形態２．
実施の形態２について、図９〜図１０を用いて説明する。
【００６０】
図９は、この実施の形態における誘導灯１００の構成を示す分解斜視図である。
なお、実施の形態１で説明した誘導灯１００と共通する部分については、同一の符号を付し、ここでは説明を省略する。
また、この図では、端子台１４０、バッテリー１５０、点灯装置１６０など表示ユニット枠１２２内部の部品及びランプホルダユニット１３０を省略している。
【００６１】
本体枠１１２は、直方体の前面及び背面（Ｘ方向から見て手前側及び奥側）を開放した形状である。
端子台１４０、バッテリー１５０、点灯装置１６０など本体枠１１２内部に取り付ける部品は、本体枠１１２側面（Ｙ方向から見て手前側もしくは奥側）、底面（Ｚ方向から見て奥側）または上面（Ｚ方向から見て手前側）に取り付ける。
【００６２】
誘導灯１００は、表示ユニット１２０を２つ備える両面灯タイプの誘導灯である。２つの表示ユニット１２０は、同一の構成であり、一方を本体枠１１２の前面に、他方を本体枠１１２の背面に取り付ける。なお、２つの表示ユニット１２０の構成が異なっていてもよいが、２つの表示ユニット１２０の構成が同一であるほうが、生産性がよくなるので好ましい。
【００６３】
本体枠１１２が前面及び背面をともに開放しているので、表示ユニット１２０の上部に取り付けるランプホルダユニット１３０が内蔵した光源の点灯により発生する熱が、本体枠１１２内部での空気の対流により均一化する。これにより、前面側のランプホルダユニット１３０と背面側のランプホルダユニット１３０との熱的条件が同じになる。
例えば、ランプホルダユニット１３０が内蔵する光源がＬＥＤである場合、熱的条件がＬＥＤの寿命を大きく左右する。本体枠の背面を閉塞する背面板があると背面板が熱を遮る要素となるのに対し、本体枠１１２が前面及び背面をともに開放しているので、２つのランプホルダユニット１３０がほぼ同じ条件で放熱し、ランプホルダユニット１３０が内蔵する光源の寿命が伸び、ほぼ等しくなる。
【００６４】
本体１１０は、４つの第二係合部１１１ｇ及び４つの第二係合部１１１ｈを有する。
第二係合部１１１ｇは、本体枠１１２の側面内側から突出している。図には表れていないが、Ｙ方向から見て手前側の側面内側にも、Ｙ方向から見て奥側の側面内側の第二係合部１１１ｇと対称の位置に２つの第二係合部１１１ｇがある。
第二係合部１１１ｈは、本体枠１１２の側面内側から突出している。第二係合部１１１ｈは、本体枠１１２の側面内側の一番下に位置し、本体枠１１２の底面にも接している。図には表れていないが、Ｙ方向から見て手前側の側面内側にも、Ｙ方向から見て奥側の側面内側の第二係合部１１１ｈと対称の位置に２つの第二係合部１１１ｈがある。
【００６５】
表示ユニット１２０は、２つの第一係合部１２１ｇと２つの第一係合部１２１ｈと遮光突出部１２５を有する。
第一係合部１２１ｇ及び第一係合部１２１ｈは、表示ユニット枠１２２の裏面から突出している。第一係合部１２１ｇは第二係合部１１１ｇと対応する位置にあり、第一係合部１２１ｈは第二係合部１１１ｈと対応する位置にある。
遮光突出部１２５は、表示ユニット枠１２２の裏面から突出している。遮光突出部１２５は、表示ユニット枠１２２の裏面の形状に沿って、上方向を除く枠状をなす。
遮光突出部１２５は、表示ユニット枠１２２の裏面よりひとまわり小さく、本体１１０に取り付けたとき、ちょうど本体枠１１２の開放した開口部に係合する。
遮光突出部１２５は、ランプホルダユニット１３０が内蔵する光源から本体枠１１２内部に漏れた光が外部に漏れないように遮る。
また、遮光突出部１２５は、表示ユニット１２０を補強する役割も果たす。例えば、表示ユニット枠１２２が樹脂製である場合、樹脂の歪みにより、表示ユニット枠１２２に反りが生じる可能性があるが、遮光突出部１２５があることにより、反りを防止することができる。
【００６６】
第一係合部１２１ｇは、実施の形態１で図２を用いて説明した第一係合部１２１と同様の形状であるが、上下が逆であり、第二保持部２２０が保持支持部２３０の上端に沿って位置する点が異なる。
第一係合部１２１ｈは、第一係合部１２１ｇとほぼ同様の形状であるが、保持支持部２３０の側面が斜めになっている点が異なる。この角度は、第二係合部１１１ｈの案内当接面３２１の傾きと等しい。
【００６７】
図１０は、この実施の形態における本体１１０に表示ユニット１２０を取り付けるときの様子を示す模式断面図である。
この図は、正面（Ｘ方向）から見て右側（Ｙ方向から見て手前側）に位置する第二係合部１１１ｇ及び第二係合部１１１ｈと第一係合部１２１ｇ及び第一係合部１２１ｈとが係合する様子をＹ方向から見たところを示している。
【００６８】
作業者が、既に天井面に取り付けてある本体１１０に対して、表示ユニット１２０をＸ方向（第一方向）から近づける。
表示ユニット１２０の位置のずれが大きい場合、第二保持部２２０の保持当接面２２１と案内部３２０の案内当接面３２１とが当接する前に、保持支持部２３０の側面２３１と、本体枠１１２の本体枠底部前面３４１とが当接する。
保持支持部２３０の側面２３１は、下へいくほど本体１１０から遠ざかる向きに傾斜している。このため、側面２３１が本体枠底部前面３４１から受ける応力により、作業者が表示ユニット１２０に加える水平方向の力が、斜め上方向の力に変換され、表示ユニット１２０は、側面２３１に沿ってＡ方向（第二方向）に移動する。
これにより、表示ユニット１２０の位置のずれが小さくなり、第二保持部２２０の保持当接面２２１と案内部３２０の案内当接面３２１とが当接する。
案内当接面３２１の傾きと、保持支持部２３０の側面２３１の傾きとは同じである。したがって、表示ユニット１２０は更にＡ方向に移動する。
【００６９】
第二保持部２２０が案内部３２０の案内頂部３２３に達すると、応力がなくなり、表示ユニット１２０はＢ方向へ移動する。このとき、表示ユニット１２０はもっとも上に位置する。表示ユニット枠１２２の上面２４３は、本体枠１１２の上面３４３より上へ出ないように構成する。これにより、本体１１０が取り付けられた天井面に、表示ユニット枠１２２が引っかからない。
また、遮光突出部１２５の上面２５１は、本体枠１１２の上部前面３４２に当たらないよう構成する。
これにより、表示ユニット１２０を弾性変形等する必要がないので、スムーズに表示ユニット１２０を本体１１０に取り付けることができ、表示ユニット１２０が破損する恐れもない。
【００７０】
その後、表示ユニット１２０はＣ方向（第三方向）に移動する。保持支持部２３０の底面が本体枠１１２の底面内側に当接して、表示ユニット１２０が固定される。
【００７１】
ランプホルダユニット１３０を取り付けて、表示ユニット１２０が上方向に移動しないようにするとともに、遮光突出部１２５がない部分をふさいで、光が漏れないようにする。
【００７２】
裏側の表示ユニット１２０も同様の手順で取り付ける。
【００７３】
作業者は、表示ユニット１２０を本体１１０に取り付ける際、保持支持部２３０の側面２３１を本体枠１１２の底部前面３４１に当接するよう、表示ユニット１２０を本体１１０に近づければよい。この作業は、第二保持部２２０を案内当接面３２１に当接させるより容易なので、更に、表示ユニット１２０の取り付けが容易になる。
【００７４】
第一係合部１２１ｈの保持支持部２３０の側面２３１は、下にいくほど第二部材（本体枠１１２／本体１１０）から遠ざかる形状なので、側面２３１を底部前面３４１に当接させて、第一部材（表示ユニット枠１２２／表示ユニット１２０）に水平方向（Ｘ方向）の力を加えると、第一部材（表示ユニット枠１２２／表示ユニット１２０）は上方向（Ａ方向）に案内される。
【００７５】
なお、第一係合部１２１及び第二係合部１１１の形状は、実施の形態１で（変形例として）説明した形状であってもよい。
【００７６】
表示ユニット１２０は、裏面に突出した遮光突出部１２５を有しているので、本体１１０と表示ユニット１２０との隙間から光が漏れるのを防ぐことができるとともに、表示ユニット１２０の反りを防止できる。また、遮光突出部１２５が本体枠１１２の開放された開口部にちょうど係合する形状なので、本体枠１１２の反りも矯正できる。
【００７７】
実施の形態３．
実施の形態３について、図１１〜図１３を用いて説明する。
なお、実施の形態１及び実施の形態２で説明した部分と共通する部分については、同一の符号を付し、ここでは説明を省略する。
【００７８】
図１１は、この実施の形態における誘導灯１００の外観を示す全体斜視図である。
誘導灯１００は、実施の形態２と同様、両面灯であり、表示ユニット１２０及び１３０をそれぞれ２つずつ有する。
また、誘導灯１００は、取付金具１９０を有する。
取付金具１９０は、誘導灯１００を天井面に取り付けるための金具である。取付金具１９０は、電源線挿入穴１９３を有する。電源線挿入穴１９３は、本体１１０上面に設けられた電源線挿入穴１１３に対応する位置に設けられており、天井面に設けられた穴などから引き出した電源線は、電源線挿入穴１９３及び電源線挿入穴１１３を通して、本体１１０内に引き込まれる。
【００７９】
図１２は、この実施の形態における誘導灯１００の内部構造を示す分解斜視図である。
本体１１０は、本体枠１１２、端子台１４０、バッテリー１５０、点灯装置１６０、点検スイッチ１７０を有する。
本体枠１１２は、直方体の前面（Ｘ方向から見て手前側の面）及び後面（Ｘ方向から見て奥側の面）が開口した枠状であり、内部に端子台１４０、バッテリー１５０、点灯装置１６０、点検スイッチ１７０などの電気部品を収納する空間を有する。
点検スイッチ１７０は、誘導灯１００が正常に非常点灯できるかを点検するためのボタンスイッチや、誘導灯１００の状態（例えば、バッテリー１５０の充電状態やランプの状態など）を表示するためのＬＥＤなどを内蔵する電気部品である。
【００８０】
取付金具１９０は、金具凸部１９４を有する。金具凸部１９４は、円筒状であり、取付金具１９０の下側（Ｚ方向から見て奥側）に突出している。金具凸部１９４は、外周に雄ネジが切られている。金具凸部１９４は、本体枠１１２の上面（Ｚ方向から見て手前側の面）の取付電源線挿入穴１１３の両脇に設けられた金具取付穴１１５に対応する位置に設けられている。
金具固定部１９５は、中空円筒状の部品であり、内側に雌ネジが切られている。金具固定部１９５の雌ネジは、金具凸部１９４の雄ネジと係合する。
本体１１０を天井面に固定する場合、まず、取付金具１９０を天井面に固定する。次に、本体枠１１２の金具取付穴１１５に金具凸部１９４を通し、金具固定部１９５を金具凸部１９４に係合させて締めることにより、本体枠１１２を固定する。
【００８１】
本体枠１１２は、８つの第二係合部１１１ｉを有する。第二係合部１１１ｉは、本体枠１１２の左側部（Ｙ方向から見て奥側の部分）の内側の面（Ｙ方向から見て手前側の面）に４つ、右側部（Ｙ方向から見て手前側の部分）の内側の面（Ｙ方向から見て奥側の面）に４つ設けられている。本体枠１１２の左側部に設けられた４つの第二係合部１１１ｉのうち、２つは前側（Ｘ方向から見て手前側）、２つは後側（Ｘ方向から見て奥側）に設けられている。本体枠１１２の右側部の第二係合部１１１ｉは、左側部と対称に設けられている。本体枠１１２の左側部の前側に設けられた２つの第二係合部１１１ｉのうち、１つは上寄り（Ｚ方向から見て手前側）、１つは下寄り（Ｚ方向から見て奥側）に設けられている。本体枠１１２の後側の第二係合部１１１ｉは、前側と対称に設けられている。第二係合部１１１ｉは、本体枠１１２の内側の面から、内側方向に向かって突出している。
【００８２】
また、本体枠１１２は、４つの本体係合部１１８を有する。本体係合部１１８は、本体枠１１２の左側部の内側の面に２つ、右側部の内側の面に２つ設けられている。本体枠１１２の左側部に設けられた２つの本体係合部１１８のうち、１つは前側上寄り、１つは後側上寄りに設けてられている。本体枠１１２の右側部の本体係合部１１８は、左側部と対称に設けられている。本体係合部１１８は、本体枠１１２の内側の面が少し窪んだ形状をしている。
【００８３】
表示ユニット１２０は、表示ユニット枠１２２、表示板１２３、導光板１２４、反射板１２９を有する。
導光板１２４は、見えていないが、表示板１２３の内側にある。
表示ユニット枠１２２は、概ねカタカナのコ字状の枠体であり、表示板１２３・導光板１２４・反射板１２９の左側及び右側（Ｙ方向から見て奥側及び手前側）、下側（Ｚ方向から見て奥側）の３方向を覆う。
反射板１２９は、平板状であり、導光板１２４の後側に位置し、表示板１２３や導光板１２４に対して角度を有する。反射板１２９は、表示ユニット１２０の上側から入射した光を反射して、反射板１２９の前に位置する導光板１２４に入射させる。
【００８４】
また、表示ユニット１２０は、４つの第一係合部１２１ｉを有する。第一係合部１２１ｉは、表示ユニット枠１２２の裏面（Ｘ方向から見て手前側の表示ユニット１２０においては、Ｘ方向から見て奥側の面）の四隅に１つずつ設けられている。第一係合部１２１ｉは、表示ユニット枠１２２の裏面から突出している。第一係合部１２１ｉは、表示ユニット１２０を本体１１０に取り付けると、本体１１０の第二係合部１１１ｉと係合する位置に設けられている。
更に、表示ユニット１２０は、２つの表示ユニット係合部１２８を有する。表示ユニット係合部１２８は、表示ユニット枠１２２の左面及び右面の上端付近に位置する。
【００８５】
ランプホルダユニット１３０は、２つの第三係合部１３１を有する。第三係合部１３１は、ランプホルダユニット１３０の裏面（Ｘ方向から見て手前側のランプホルダユニット１３０においては、Ｘ方向から見て奥側の面）の左端及び右端に位置し、ランプホルダユニット１３０の裏面から突出している。第三係合部１３１は、本体係合部１１８と係合する形状を有し、ランプホルダユニット１３０を本体１１０に取り付けたとき、第三係合部１３１が本体係合部１１８と係合することにより、ランプホルダユニット１３０が本体１１０に固定される。
【００８６】
また、ランプホルダユニット１３０は、２つのランプホルダ係合部１３２を有する。ランプホルダ係合部１３２は、ランプホルダユニット１３０の左側面及び右側面それぞれの内側に位置する。ランプホルダ係合部１３２は、表示ユニット係合部１２８と係合する形状を有し、表示ユニット１２０及びランプホルダユニット１３０を本体１１０に取り付けたとき、ランプホルダ係合部１３２が表示ユニット係合部１２８と係合することにより、表示ユニット１２０とランプホルダユニット１３０とが固定される。
【００８７】
図１３は、この実施の形態における本体１１０、表示ユニット１２０、ランプホルダユニット１３０の形状の詳細を示す図である。
この図は、本体１１０（電気部品は省略）をＸ方向から見た部分拡大図ａ、本体１１０のＥ−Ｅ断面をＹ方向から見た断面図ｂ（想像線で、表示ユニット１２０及びランプホルダユニット１３０との係合の様子を図示）、表示ユニット１２０及びランプホルダユニット１３０をＹ方向から見た側面図ｃである。
【００８８】
本体１１０内部の空間は、仕切板１１６や背面板１１４により、端子台収納部４４０、バッテリー収納部４５０、点灯回路収納部４６０、点検スイッチ収納部４７０などの複数の空間に仕切られている。端子台収納部４４０は、端子台１４０を取り付けるための空間である。バッテリー収納部４５０は、バッテリー１５０を取り付けるための空間である。点灯回路収納部４６０は、点灯装置１６０を取り付けるための空間である。点検スイッチ収納部４７０は、点検スイッチ１７０を取り付けるための空間である。
【００８９】
第二係合部１１１ｉは、実施の形態１で説明した第二係合部１１１とほぼ同様の形状であるが、（実施の形態１で説明した第二係合部１１１ｃと同様）案内頂部３２３が平らになっている点が異なる。
また、下側に位置する第二係合部１１１ｉは、本体枠１１２の底面と接していて、本体枠１１２の底面を支持部３３０として利用している。
【００９０】
本体枠１１２の底面は、前後方向（Ｘ方向及びそれと反対の方向）に突出した下面突出部４９１を有する。
表示ユニット枠１２２の下端には、下面突出部４９１と対応する形に窪んだ係合凹部１２７がある。
表示ユニット１２０を本体１１０に取り付けると、係合凹部１２７が下面突出部４９１に係合する。これは、表示ユニット１２０が取付け位置よりも下方向に移動しないようにする機構の一つとして機能する。
【００９１】
第一係合部１２１ｉは、実施の形態１で説明した第一係合部１２１とほぼ同様の形状であるが、保持支持部２３０の上端に、第二保持部２２０とほぼ同じ方向に突出した庇部２３５がある点が異なる。
【００９２】
庇部２３５は、表示ユニット１２０を本体１１０に取り付けた際、第二係合部１１１ｉの上を覆うような形となり、平らな案内頂部３２３と当接して、表示ユニット１２０が取付け位置よりも下方向に移動しないようにする機構の一つとして機能する。なお、この図に示したように、通常は庇部２３５と案内頂部３２３とが当接せず、表示ユニット１２０を正しく取り付けなかった場合など、表示ユニット１２０が下方向に移動しないようにする他の機構が機能しない場合の安全装置としての役割を持たせることとしてもよい。
【００９３】
本体係合部１１８は、本体枠１１２の側面の内側をわずかに窪ませた形状を有する。
本体係合凹部４９５は、本体係合部１１８の大部分を占め、窪みの底部が平らな略長方形である。
本体係合凸部４９６は、本体係合部１１８の外側の端に位置する帯状であり、本体係合凹部４９５よりも窪みの深さが浅く、本体係合凹部４９５よりも内側方向に突出している。
第三係合部１３１は、ランプホルダユニット１３０の裏面から突出した舌状であり、先端部４１１、凸部４１２、凹部４１３を有する。
先端部４１１は、第三係合部１３１の先端に位置し、先端にいくほど細くなっている。また、先端部４１１は、Ｘ方向に対してわずかに内側方向に傾いている。これは、第三係合部１３１が本体係合部１１８と容易に係合できるようにするためである。
第三係合凸部４１２は、第三係合部１３１の根元付近に位置し、外側方向に突出している。
第三係合凹部４１３は、第三係合部１３１の根元に位置し、第三係合凸部４１２よりも凹んでいる。
ランプホルダユニット１３０を本体１１０に取り付けると、第三係合凸部４１２が本体係合凹部４９５と、第三係合凹部４１３が本体係合凸部４９６と係合し、第三係合凸部４１２と本体係合凸部４９６とが当接するので、ランプホルダユニット１３０が本体１１０に固定される。
【００９４】
表示ユニット係合部１２８は、表示係合凹部４８１と、表示係合凸部４８２とを有する。表示係合凹部４８１は、表示ユニット枠１２２の側面をわずかに窪ませたスリット状である。表示係合凸部４８２は、表示係合凹部４８１の手前に位置する略長方形の突起である。
ランプホルダ係合部１３２は、ランプ係合凸部４２２、ランプ係合押さえ部４２４を有する。
ランプ係合凸部４２２及びランプ係合押さえ部４２４は、ランプホルダユニット１３０の側面の内側から、内側方向に突出している突起である。凸部４２２の外側には、テーパー部４２１が形成されている。これは、ランプホルダ係合部１３２が表示ユニット係合部１２８と容易に係合できるようにするためである。ランプ係合凸部４２２とランプ係合押さえ部４２４とは、Ｘ方向に並んで形成されていて、ランプ係合凸部４２２とランプ係合押さえ部４２４との間に、突出していない間隙部４２３がある。
表示ユニット１２０を取り付けた本体１１０に、ランプホルダユニット１３０を取り付けると、ランプ係合凸部４２２が表示係合凹部４８１と、間隙部４２３が表示係合凸部４８２と係合し、ランプホルダユニット１３０が表示ユニット１２０に固定される。ランプホルダユニット１３０は、本体係合部１１８と第三係合部１３１との係合により本体１１０に固定されているので、これにより、表示ユニット１２０が上方向に移動して外れるのを防ぐことができる。
【００９５】
以上のように、表示ユニット１２０が下方向に移動するのを防ぐ機構を複数設けることにより、表示ユニット１２０が誤って落下するのを防ぐことができるので、安全性が高くなる。
また、本体１１０と表示ユニット１２０、本体１１０とランプホルダユニット１３０、表示ユニット１２０とランプホルダユニット１３０をそれぞれ固定する機構を設けることにより、それぞれが互いに固定されるので、表示ユニット１２０及びランプホルダユニット１３０をしっかりと本体１１０に取り付けることができる。
【００９６】
実施の形態４．
実施の形態４について、図１４〜図２０を用いて説明する。
【００９７】
図１４は、この実施の形態における誘導灯１００の内部構造を示す分解斜視図である。
なお、実施の形態１〜実施の形態３で説明した誘導灯１００と共通する部分については、同一の符号を付し、ここでは説明を省略する。
また、以下の説明では、Ｚ方向から見て手前側を「上」、奥側を「下」、Ｙ方向から見て手前側を「右」、奥側を「左」、Ｘ方向から見て手前側を「前」、奥側を「後」と呼ぶ。
【００９８】
誘導灯１００は、更に、補強金具１８０を有する。
補強金具１８０は、本体１１０を補強するための部材である。補強金具１８０は、本体枠１１２のうち上側の部分の内側に設置する。補強金具１８０がない場合、誘導灯１００を天井面５０１に取り付けると、金具固定部１９５と接している金具取付穴１１５周辺に誘導灯１００の自重や外力が加わった場合、荷重が集中して加わるため、金具取付穴１１５周辺が破壊して、誘導灯１００が変形する可能性がある。補強金具１８０は、金属など、本体枠１１２よりも強度の高い素材で作られている。補強金具１８０は、誘導灯１００の自重や外力が加わった場合に荷重を本体枠１１２の上側の枠全体に分散し、本体枠１１２の変形を防ぐ。
【００９９】
本体枠１１２は、更に、第二案内部１１９を有する。
第二案内部１１９は、本体枠１１２の左右両側の上端付近の内側に位置する（右側の第二案内部１１９は図示していないが、左側の第二案内部１１９と対称な位置にある）。
第二案内部１１９は、表示ユニット１２０を取り外すため、上方向に持ち上げたとき、表示ユニット１２０と当接して、表示ユニット１２０が必要以上に上方向に持ち上げられるのを防ぐとともに、表示ユニット１２０を手前方向に案内して、作業者が表示ユニット１２０を取り外す作業を助けるものである。
【０１００】
図１５は、この実施の形態における補強金具１８０の形状を示す側面図及び斜視図である。
【０１０１】
補強金具１８０は、本体枠１１２の上側部分の形状に合わせて、Ｙ方向に長い略長方形状の板である。
補強金具１８０の側部は、下向きに折り曲げられ、折曲部１８１を形成している。折曲部１８１は、補強金具１８０が荷重によりたわむのを防ぐためのものである。折曲部１８１は、上向きに折り曲げられていてもよいが、補強金具１８０と本体枠１１２との接触面積が広いほうが荷重が分散されるので、折曲部１８１が下向きに折り曲げられているほうが好ましい。
【０１０２】
補強金具１８０の対称軸上には、いくつかの穴が開けられている。
対本体固定穴１８２は、補強金具１８０をネジなどにより本体枠１１２に固定するための貫通穴であり、左右それぞれ端に近い位置に設けられている。
金具取付穴１８３は、半径の大きな円１８７と半径の小さな円１８６とを組み合わせた鍵穴状の貫通穴であり、左側の対本体固定穴１８２の隣に設けられている。金具取付穴１８３のうち、半径の大きな円１８７の部分は、取付金具１９０の二つの金具固定部１９５のうちの一つを通すことができるよう、金具固定部１９５の半径よりも大きな半径を有し、半径の小さな円１８６の部分は、金具固定部１９５が引っかかるよう、金具固定部１９５の半径よりも小さな半径を有する。作業者は、金具固定部１９５を取付金具１９０に緩めた状態で取り付けたまま、金具取付穴１８３を通し、補強金具１８０（を取り付けた本体１１０全体）を横にずらすことにより、金具取付穴１８３に金具固定部１９５を引っかけてから、金具固定部１９５を締めて、本体１１０を天井面５０１などに固定する。
【０１０３】
電源線挿入穴１８４は、金具取付穴１８３に更に半径の大きな長円１８８を組み合わせた形状の貫通穴であり、補強金具１８０のほぼ中央に設けられている。電源線挿入穴１８４のうち半径が一番大きい長円１８８の部分は、本体枠１１２の電源線挿入穴１１３及び取付金具１９０の電源線挿入穴１９３に対応する位置に設けられている。天井面に設けられた穴などから引き出した電源線は、電源線挿入穴１９３及び電源線挿入穴１１３及び電源線挿入穴１８４を通して、本体１１０内に引き込まれる。
電源線挿入穴１８４のうち金具取付穴１８３と同型の部分は、取付金具１９０のもう一つの金具固定部１９５を通して、固定するためのものである。
なお、電源線挿入穴１８４は、電源線を通すための穴の部分と、金具固定部１９５を通すための穴の部分とが離れて、二つの穴であってもよい。
【０１０４】
切込部１８５は、補強金具１８０の両端中央付近に設けられた切込みである。切込部１８５は、本体枠１１２の形状に合わせて設けられるものである。
【０１０５】
図１６は、この実施の形態における本体枠１１２に、補強金具１８０を取り付けた場合の位置関係を示す斜視図である。
対本体固定穴１８２、金具取付穴１８３、電源線挿入穴１８４は、それぞれ本体枠１１２の上側の部分に設けられた穴に対応する位置にある。また、切込部１８５は、本体枠１１２を補強するために設けられた三角状補強部１１７に対応し、補強金具１８０が三角状補強部１１７に当たらないようにしている。
【０１０６】
図１７は、この実施の形態における本体枠１１２に補強金具１８０及び取付金具１９０を取りつけた状態を示す一部拡大断面斜視図である。
この図は、本体枠１１２の左上隅の部分を拡大したキャビネット図である。
【０１０７】
第二案内部１１９は、本体枠１１２の左右側面内側の上端寄りから、内側に向かって突出した柱状体である。
第二案内部１１９は、前側斜め下および後側斜め下の部分が円弧状に切り取られて、第二当接面３９１を形成している。
前側の第二当接面３９１は、前斜め下方向へ向いていて、下へいくほど後に下がっている。逆に、後側の第二当接面３９１は、後斜め下方向へ向いていて、下へほど前に下がっている。本体枠１１２に表示ユニット１２０を取り付けた状態では、いずれの第二当接面３９１も、下にいくほど表示ユニット１２０から遠ざかる形状である。
【０１０８】
上述したように、第二案内部１１９は、本体枠１１２の左右側面内側の上端寄りに位置する。第二当接面３９１は、本体枠１１２に補強金具１８０を取り付けた状態において、補強金具１８０の折曲部１８１よりも下に位置する。
【０１０９】
図１８は、この実施の形態における本体枠１１２に表示ユニット１２０及びランプホルダユニット１３０を取り付ける様子を示す側面視断面図である。
【０１１０】
作業者が、Ｘ方向（第一方向）から表示ユニット１２０（第一部材）を本体枠１１２（第二部材）に近づけると、保持当接面２２１が案内当接面３２１に当接して、表示ユニット１２０がＡ方向（第二方向）に案内される。更に表示ユニット１２０を本体枠１１２に近づけると、第二保持部２２０が案内部３２０を乗り越えて、表示ユニット１２０をＣ方向（第三方向）に動かせるようになり、案内部３２０が第二保持部２２０と表示ユニット枠１２２（第一保持部）との間に挟まって係合し、表示ユニット１２０が本体枠１１２に固定される。
その後、作業者が、Ｘ方向からランプホルダユニット１３０（固定部）を本体枠１１２に近づけると、第三係合部１３１と本体係合部１１８とが係合して、ランプホルダユニット１３０が本体枠１１２に固定される。これにより、表示ユニット１２０がＤ方向（Ｃ方向と反対の方向）に動かなくなる。
【０１１１】
図１９は、この実施の形態における本体枠１１２からランプホルダユニット１３０及び表示ユニット１２０を取り外す様子を示す側面視拡大断面図である。
【０１１２】
保守点検や修理などのため、表示ユニット１２０を本体枠１１２から取り外す必要が生じた場合、作業者は、まず、ランプホルダユニット１３０を手前（Ｅ方向）に引っ張って第三係合部１３１と本体係合部１１８との係合を外し、ランプホルダユニット１３０をＥ方向へ動かして取り外す。
次に、作業者は、表示ユニット１２０を上（Ｄ方向）に持ち上げて第二保持部２２０と第二係合部１１１との係合を外す。
第二保持部２２０と第二係合部１１１との係合が外れても、作業者が表示ユニット１２０を上に動かし続けると、第二当接面３９１が庇部２３５に当接して、表示ユニット１２０をＧ方向（第一方向に対しておおむね反対の方向）へ案内する。
作業者は、表示ユニット１２０がＧ方向へ案内されるのを感知し、表示ユニット１２０を手前（Ｅ方向）に引っ張って、表示ユニット１２０を本体枠１１２から取り外す。
【０１１３】
作業者が表示ユニット１２０を持ち上げ過ぎると、表示ユニット１２０が補強金具１８０に引っかかり、表示ユニット１２０を取り外す作業の妨げになる可能性がある。しかし、第二当接面３９１が表示ユニット１２０をＧ方向に案内することにより、作業者が表示ユニット１２０を持ち上げ過ぎることを防ぐので、表示ユニット１２０が補強金具１８０に引っかかることなく、スムーズに表示ユニット１２０を取り外すことができる。
【０１１４】
図２０は、この実施の形態における第二案内部１１９の形状の変形例を示す図である。
第二案内部１１９ａ，１１９ｂ，１１９ｅ，１１９ｇ，１１９ｈに示すように、第二当接面３９１は、円弧面状ではなく、平面状であってもよい。
また、第二案内部１１９の第二当接面３９１以外の面は、いずれの形状であってもよい。第二案内部１１９にはあまり大きな力が加わらないので、第二案内部１１９ｂ，１１９ｃ，１１９ｅ，１１９ｆ，１１９ｈ，１１９ｉに示すように、第二案内部１１９は板状であってもよい。そうすれば、本体枠１１２の材料を削減できるので、本体枠１１２を軽量化でき、誘導灯１００の製造コストを抑えることができる。
また、第二案内部１１９ｅ，１１９ｆに示すように、前側の第二当接面３９１と、後側の第二当接面３９１との間が離れていてもよい。
【０１１５】
更に、この実施の形態における第二案内部１１９は、片面灯に応用することもできる。片面灯に応用した場合、第二案内部１１９ｄ，１１９ｇ，１１９ｈ，１１９ｉに示すように、第二当接面３９１は、第二案内部１１９の前側だけにあればよく、第二案内部１１９の後側の形状は問わない。また、第二当接面３９１は、前側の折曲部１８１より下にあればよく、補強金具１８０の後側の折曲部１８１が、第二当接面３９１より下まであってもよい。
【０１１６】
この実施の形態における誘導灯１００（照明装置）によれば、係合部（係止部３１０）が第一保持部２１０と第二保持部２２０との間に係合した状態から、第一部材（表示ユニット１２０）を第三方向（Ｃ方向）と逆の方向（Ｄ方向）に移動させた場合に、第二案内部１１９が、第一部材（表示ユニット１２０）と当接し、第一部材を第一方向（Ｂ方向）と略反対の方向（Ｇ方向）に案内するので、作業者が、第一部材をスムーズに取り外すことができるという効果を奏する。
【０１１７】
以上説明した誘導灯１００（照明装置）によれば、表示ユニット１２０がガイド壁（第二案内部１１９）に係合しながらスライドすることによって補強金具１８０に接触することなく器具本体（本体枠１１２）に対し着脱できる。表示ユニット１２０の上部（天井取付面側）が補強金具１８０に接触しないので、表示ユニット１２０を容易に着脱できる。
【０１１８】
このように、枠部（本体枠１１２）の内側に長方形の１つ以上の角を扇状に抜いた形状のガイド壁（第二案内部１１９）を設けることで、表示ユニット１２０を取り外すためにスライドさせた時に、表示ユニット１２０がガイド壁（第二案内部１１９）に当接することによって補強金具１８０との接触を避ける事ができ、取り外しが容易となる。
【符号の説明】
【０１１９】
１００  誘導灯、１１０  本体、１１１  第二係合部、１１２  本体枠、１１３，１９３  電源線挿入穴、１１４  背面板、１１５  金具取付穴、１１６  仕切板、１１７  三角状補強部、１１８  本体係合部、１１９  第二案内部、１２０  表示ユニット、１２１  第一係合部、１２２  表示ユニット枠、１２３  表示板、１２４  導光板、１２５  遮光突出部、１２７  係合凹部、１２８  表示ユニット係合部、１２９  反射板、１３０  ランプホルダユニット、１３１  第三係合部、１３２  ランプホルダ係合部、１４０  端子台、１５０  バッテリー、１６０  点灯装置、１７０  点検スイッチ、１８０  補強金具、１８１  折曲部、１８２  対本体固定穴、１８３  金具取付穴、１８４  電源線挿入穴、１８５  切込部、１９０  取付金具、１９４  金具凸部、１９５  金具固定部、２１０  第一保持部、２２０  第二保持部、２２１  保持当接面、２３０  保持支持部、２３１  側面、２３２  下面、２３５  庇部、２４３，２５１，３４３  上面、３１０  係止部、３２０  案内部、３２１  案内当接面、３２２  案内裏面、３２３  案内頂部、３３０  支持部、３３１  支持面、３４１  底部前面、３４２  上部前面、３９１  第二当接面、４１１  先端部、４１２，４２２，４８２，４９６  凸部、４１３，４８１，４９５  凹部、４２１  テーパー部、４２３  間隙部、４２４  押さえ部、４４０  端子台収納部、４５０  バッテリー収納部、４６０  点灯回路収納部、４７０  点検スイッチ収納部、４９１  下面突出部、５０１  天井面。
【図１】
0005475102.tif 000002
【図２】
0005475102.tif 000003
【図３】
0005475102.tif 000004
【図４】
0005475102.tif 000005
【図５】
0005475102.tif 000006
【図６】
0005475102.tif 000007
【図７】
0005475102.tif 000008
【図８】
0005475102.tif 000009
【図９】
0005475102.tif 000010
【図１０】
0005475102.tif 000011
【図１１】
0005475102.tif 000012
【図１２】
0005475102.tif 000013
【図１３】
0005475102.tif 000014
【図１４】
0005475102.tif 000015
【図１５】
0005475102.tif 000016
【図１６】
0005475102.tif 000017
【図１７】
0005475102.tif 000018
【図１８】
0005475102.tif 000019
【図１９】
0005475102.tif 000020
【図２０】
0005475102.tif 000021